(57)【要約】【課題】信用機関等の金融機関（払込票処理機関）の従業員の手間を大幅に低減させると共に、当該払込票処理機関側が収納代行契約していない払込票発行会社の払込票をも決済処理可能な払込処理システムを提供する。【解決手段】払込票受付装置７によって、払込票６に印刷されたバーコードを読み取らせて、収納情報を生成させ、収納代行装置１２に収納情報を供給させ、この収納情報が払込票処理機関側が収納代行契約している払込票発行企業２５のものか、収納代行会社９が収納代行契約している払込票発行企業２３のものかを判定させ、収納代行契約している払込票発行企業２５の収納情報であれば、これを払込票処理機関の本店１１にある収納代行サーバ２２に転送させ、また収納代行会社９が収納代行契約している払込票発行企業２３の収納情報であれば、決済情報を生成させて、払込票発行企業２３のサーバに供給させ、消し込み処理を行わせる。【選択図】図１
2011028431.tif 000002
【特許請求の範囲】
【請求項１】
払込票発行機関が発行した払込票を処理する払込票処理システムにおいて、
金融機関の店舗内に配置され、払込票のバーコードを読み取るとともに、この読み取り動作で得られたバーコード情報を解析し、払込票発行機関情報、払込期限情報、払込金額情報を含む収納情報を生成する払込票受付装置と、
収納代行会社に配置され、ネットワークを介して、前記払込票受付装置で生成された収納情報を取り込み、この収納情報で指定された払込票発行機関が前記金融機関が収納代行契約している第２群払込票発行機関であるとき、ネットワークを介して、前記金融機関の収納代行サーバに前記収納情報を供給し、また前記収納情報で指定された払込票発行機関が前記収納代行会社が収納代行契約している第１群払込票発行機関であるとき、前記収納情報に対応した決済情報を生成するとともに、ネットワークを介して、前記決済情報を前記第１群払込票発行機関に供給して、消し込み処理を行わせる収納代行装置と、
を備えたことを特徴とする払込票処理システム。
【請求項２】
払込票発行機関が発行した払込票を処理する払込票処理システムにおいて、
収納代行会社が収納代行契約している第１群払込票発行機関、または金融機関が収納代行契約している第２群払込票発行機関のうち、所望の各払込票発行機関名とこれら各払込票発行機関名を示すバーコードとが対にされて印刷され、前記金融機関の店舗内に配置されるバーコード表と、
前記金融機関の店舗内に配置され、来店した顧客から収納を依頼された払込票の表示内容に基づき、テンキー入力された数値データと前記バーコード表を使用して入力されたバーコード情報とを組み合わせて払込票発行機関情報、払込期限情報、払込金額情報を含む収納情報を生成する払込票受付装置と、
前記収納代行会社に配置され、ネットワークを介して、前記払込票受付装置で生成された収納情報を取り込み、この収納情報で指定された払込票発行機関が前記金融機関が収納代行契約している第２群払込票発行機関であるとき、ネットワークを介して、前記金融機関の収納代行サーバに前記収納情報を供給し、また前記収納情報で指定された払込票発行機関が前記収納代行会社が収納代行契約している第１群払込票発行機関であるとき、前記収納情報に対応した決済情報を生成するとともに、ネットワークを介して、前記決済情報を前記第１群払込票発行機関に供給して、消し込み処理を行わせる収納代行装置と、
を備えたことを特徴とする払込票処理システム。
【請求項３】
前記払込票受付装置は、プリント指示が入力されたとき、前記収納情報に対応する関連帳票情報、または集計帳票情報を使用して、関連帳票、または集計帳票をプリントアウトする、ことを特徴とする請求項１又は２に記載の払込票処理システム。
【請求項４】
前記収納代行装置は、前記ネットワークを介して供給される前記払込票受付装置からの収納情報と、流通店から供給される収納情報とを一括処理する、ことを特徴とする請求項１乃至３の何れかに記載の払込票処理システム。
【発明の詳細な説明】
【技術分野】
【０００１】
本発明は、例えば信用金庫等の金融機関において処理される払込票処理システムに関し、特に払込票を受領して処理する信用金庫などの払込票処理機関が契約していない会社、自治体などの払込票をも処理し得るようにした払込票処理システムに関する。
【背景技術】
【０００２】
ＮＴＴ、ＮＨＫ、各自治体などから各顧客に送付された払込票を処理する払込票処理システムとして、従来、図８に示すコンビニエンスストア型の払込票処理システム、図９に示す信用金庫型の払込票処理システムが知られている。
【０００３】
図８に示すコンビニエンスストアによる払込票処理システム１０１は、コンビニエンスストア店１０２内に配置され、顧客が購入した商品１０３、顧客が持ち込んだ払込票１０４などのバーコードを読み取るバーコードリーダ１０５と、コンビニエンスストア店１０２内に配置され、バーコードリーダ１０５によって読み込まれた商品１０３のバーコード情報、払込票１０４のバーコード情報を処理して、購入金額、払込金額などの合計額などを演算するとともに、ＰＯＳ（Point of sale system）情報、収納情報などを生成して、ネットワーク１０７上に送出するレジスタ１０６と、各コンビニエンスストア店１０２を統括する統括本部１０８などに配置され、ネットワーク１０７を介して、各コンビニエンスストア店１０２から送信されたＰＯＳ情報など処理して、売上金額、売れ筋商品名などを管理するＰＯＳ情報管理サーバ１０９と、統括本部１０８などに配置され、ネットワーク１０７を介して、各コンビニエンスストア店１０２から送信された、収納情報などを処理して、決済情報を生成し、これをネットワーク１１１を介して、払込票発行企業（ＮＴＴ、ＮＨＫ、各自治体など）１１２のサーバに送信し、消し込み処理などを行わせる収納代行サーバ１１０とを備えている。
【０００４】
そして、コンビニエンスストア店１０２に入店した顧客が商品１０３を購入して店員に精算を依頼したとき、店員によって操作されたバーコードリーダ１０５によって、各商品１０３のバーコードが読み取られるとともに、レジスタ１０６によって、各商品１０３の購入金額、合計購入金額などが演算、表示される。この後、店員によって、顧客から支払われた紙幣、硬貨などを受け取られ、精算完了ボタンが押されたとき、レジスタ１０６によって、精算完了処理が行われる。また、この動作と並行し、レジスタ１０６によって、ＰＯＳ情報が生成され、レジスタ１０６→ネットワーク１０７→ＰＯＳ情報管理サーバ１０９なる経路で、ＰＯＳ情報管理サーバ１０９にＰＯＳ情報が供給され、各コンビニエンスストア店１０２の売上金額、売れ筋商品名などが管理される。
【０００５】
また、コンビニエンスストア店１０２に入店した顧客が払込票１０４を提示して、払込を依頼したとき、店員によって操作されるバーコードリーダ１０５によって、払込票１０４のバーコードが読み取られるとともに、レジスタ１０６によって、バーコードリーダ１０５から出力されるバーコード情報が解析され、支払い可能かどうか、印紙が必要かどうかなどが判定され、支払い可能であるとき、払込票１０４の払込み金額が演算、表示される。この後、顧客から支払われた紙幣、硬貨などを受け取られ、払込完了ボタンが押されたとき、レジスタ１０６によって、払込完了処理が行われる。
【０００６】
また、この動作と並行し、レジスタ１０６によって、バーコード情報に含まれる払込票発行企業情報、支払期限情報、払込み金額情報などが処理されて、収納情報が生成され、レジスタ１０６→ネットワーク１０７→収納代行サーバ１１０なる経路で、収納代行サーバ１１０に収納情報が供給される。そして、収納代行サーバ１１０によって、収納情報などが処理されて、決済情報が生成され、収納代行サーバ１１０→ネットワーク→払込票発行企業（ＮＴＴ、ＮＨＫ、各自治体など）１１２のサーバなる経路で、払込票発行企業１１２のサーバに決済情報が供給され、消し込み処理などが行われる。
【０００７】
また、図９に示す信用金庫等の金融機関における払込票処理システム１２１は、例えば信用金庫等の払込票処理機関の営業店１２２などに配置され、顧客が払込票１２３などを提出し、払込みを依頼したとき、当該営業店の従業員によって操作されて、払込票１２３に対応する関連帳票１２４、集計票１２５などを出力する窓口端末１２６と、払込票処理機関の本店１２７などに配置され、各営業店１２２の営業時間終了後に、各営業店１２２からメール便などを介して、収集された各払込票１２３のイメージを読み取り、文字コードを生成する活字ＯＣＲ（Optical Character Reader）装置１２８と、払込票処理機関の本店１２７などに配置され、活字ＯＣＲ装置１２８から出力される文字コードを処理して、決済情報を生成し、指定された時刻になったとき、ネットワーク１３０を介して、払込票発行企業（ＮＴＴ、ＮＨＫ、各自治体など）１３１のサーバに決済情報を送信し、消し込み処理などを行わせる収納代行サーバ１２９とを備えている。
【０００８】
そして、払込票処理機関の営業店１２２に入店した顧客によって、払込票１２３、振り込み依頼票、払込み金額に対応する紙幣、硬貨などが提出されたとき、当該営業店１２２の従業員によって、払込票１２３、振り込み依頼票、紙幣、硬貨などが受け取られるとともに、受領票が作成されて、顧客に渡される。
【０００９】
また、この動作と並行し、当該営業店１２２の従業員によって、窓口端末１２６が操作されて、払込票１２３の内容が入力され、払込票１２３に対応する関連帳票１２４、集計票１２５などがプリントアウトされる。そして、当該営業店１２２の従業員によって、払込票発行企業単位で、これら払込票１２３、関連帳票１２４、集計票１２５などが纏められ、営業終了時刻まで、保管される。この後、営業店１２２の営業終了時刻になったとき、払込票発行企業単位で纏められた、払込票１２３、関連帳票１２４、集計票１２５などがメール便で、払込票処理機関の本店１２７などに送付される。
【００１０】
そして、払込票処理機関の本店１２７などの従業員によって、営業開始前に、各営業店１２２から送付された払込票発行企業単位の払込票１２３、関連帳票１２４、集計票１２５などが払込票発行企業単位で、さらに纏められて集計処理された後、集計処理済みの各払込票１２３が活字ＯＣＲ装置１２８にセットされる。この後、活字ＯＣＲ装置１２８から出力される各払込票１２３の文字データが収納代行サーバ１２９に供給されて、決済情報が生成され、記憶される。
【００１１】
この後、各払込票発行企業１３１によって指定された時刻になる毎に、収納代行サーバ１２９に記憶されている各払込票発行企業１３１の決済情報が収納代行サーバ１２９→ネットワーク１３０→払込票発行企業（ＮＴＴ、ＮＨＫ、各自治体など）１３１のサーバなる経路で、払込票発行企業１３１のサーバに供給され、消し込み処理などが行われる。
【発明の概要】
【発明が解決しようとする課題】
【００１２】
ところで、各コンビニエンスストアチェーンでは、来店者数を増やし、売上金額を増やす目的で、コンビニエンスストア型の払込票処理システム１０１を導入し、各払込票１０４を取り扱えるようにしている。
【００１３】
この際、このようなコンビニエンスストア型の払込票処理システム１０１では、各コンビニエンスストア店１０２で、コンビニエンスストアチェーンの統括本部１０８などが契約しているＮＴＴ、ＮＨＫなど、各払込票発行企業１１２が振り出した払込票のうち、収納期限などが切れていない払込票などのように、複雑な計算が必要ないものだけに、限定して、取り扱うようにし、各コンビニエンスストア店１０２の店員の負担を減らすようにしている。
【００１４】
このため、コンビニエンスストア型の払込票処理システム１０１では、顧客が払込票１０４をコンビニエンスストア店１０２に持ち込んだ後、収納期限などが過ぎていることなどを理由にされ、収納することができないことがあった。
【００１５】
また、信用金庫型の払込票処理システム１２１では、払込票処理機関の営業店１２２に入店した顧客が払込票１２３、振り込み依頼票、払込み金額に対応する紙幣、硬貨などを提出する毎に、当該営業店１２２の従業員が払込票１２３、振り込み依頼票の内容を確認して、払込票発行企業１３１の払込票１２３かかどうか、期限切れであるかどうかなどを確認し、期限切れであれば、電卓などを使用して、払い込み金額などを計算するなどの作業を行った後、窓口端末１２６を操作して、関連帳票１２４などを出力させなければならず、その分だけ、従業員に高いスキルが要求されるのみならず、作業効率が悪く、顧客の待ち時間が長くなってしまうという問題があった。
【００１６】
また、信用金庫型の払込票処理システム１２１では、払込票処理機関の本店１２７などの従業員によって、各営業店１２２から送付された、払込票発行企業単位の払込票１２３、関連帳票１２４、集計票１２５などを払込票発行企業単位で、さらに纏めさせて、集計処理などを行わせなければならないのみならず、集計処理済みの各払込票１２３を活字ＯＣＲ装置１２８にセットさせて、各払込票１２３の文字データを収納代行サーバ１２９に処理させなければならず、各営業店１２２、本店１２７などの従業員の負担が大き過ぎるという問題があった。
【００１７】
また、信用金庫型の払込票処理システムで１２１では、払込票処理機関側が予め契約している払込票発行企業１３１の払込票１２３、例えばＮＴＴ、ＮＨＫ、地元の自治体などのように、営業エリア内に事業体がある企業、地元自治体など、地元の人にとって主要な払込票発行企業１３１の払込票１２３のみしか取り扱わないことが多い。
【００１８】
このため、各自治体、例えば北海道の水道局が発行した払込票１２３を東京にある払込票処理機関の営業店１２２に持ち込んでも、この営業店１２２で払込票１２３の処理を行うことができないなど、顧客にとって、使い勝手が悪いという問題があった。
【００１９】
本発明は、上記の事情に鑑み、払込票処理機関の営業店に払込票が持ち込まれて、払込を依頼されたとき、払込票に印刷されたバーコードを読み取って、決済処理を行わせることができ、これによって営業店側の手間を大幅に簡素化させて、信用金庫等の金融機関（払込票処理機関）の業務を大幅に省力化させることができ、さらに払込票処理機関側が収納代行契約していない払込票発行会社の払込票をも決済処理を行わせることができる払込票処理システムを提供することを目的としている。
【００２０】
また、本払込票処理システムにおいては、払込票処理機関の営業店に払込票が持ち込まれて、払込を依頼されたとき、払込票にバーコードが印刷されている場合のみならず、バーコードが印刷されていない場合でも、バーコードが印刷されている場合と同様な手順で、収納処理を行わせることができ、これによって営業店側の手間を大幅に簡素化させて、金融機関の業務を大幅に省力化させることができ、さらに払込票処理機関側が収納代行契約していない払込票発行会社の払込票をも決済処理を行わせることができる払込票処理システムを提供することを目的としている。
【００２１】
また、本システムにおいては、払込票処理機関の営業店に払込票が持ち込まれて、払込を依頼されたとき、払込票処理機関が契約した払込票発行会社の払込票のみならず、収納代行会社が契約した払込票発行会社の払込票であっても、また払込票にバーコードが印刷されている場合のみならず、バーコードが印刷されていない場合でも、関連帳票を自動作成させて、決済処理を行わせることができ、これによって営業店側の手間を大幅に簡素化させて、金融機関の業務を大幅に省力化させることができるとともに、払込票処理機関側が収納代行契約していない払込票発行会社の払込票をも決済処理を行わせることができる払込票処理システムを提供することを目的としている。
【００２２】
さらに、本システムにおいては、１台の収納代行装置によって、コンビニエンスストア店からの収納情報と、払込票処理機関の営業店からの収納情報とを一括処理させることにより、システム全体の構築コストを低く抑えさせながら、払込票処理機関の営業店に持ち込まれた払込票の決済処理を行わせることができ、これによって営業店側の手間を大幅に簡素化させて、金融機関の業務を大幅に省力化させることができるとともに、払込票処理機関側が収納代行契約していない払込票発行会社の払込票をも決済処理を行わせることができる払込票処理システムを提供することを目的としている。
【課題を解決するための手段】
【００２３】
本発明は、上記の目的を達成するために、払込票発行機関が発行した払込票を処理する払込票処理システムにおいて、金融機関の店舗内に配置され、払込票のバーコードを読み取るとともに、この読み取り動作で得られたバーコード情報を解析し、払込票発行機関情報、払込期限情報、払込金額情報を含む収納情報を生成する払込票受付装置と、収納代行会社に配置され、ネットワークを介して、前記払込票受付装置で生成された収納情報を取り込み、この収納情報で指定された払込票発行機関が前記金融機関が収納代行契約している第２群払込票発行機関であるとき、ネットワークを介して、前記金融機関の収納代行サーバに前記収納情報を供給し、また前記収納情報で指定された払込票発行機関が前記収納代行会社が収納代行契約している第１群払込票発行機関であるとき、前記収納情報に対応した決済情報を生成するとともに、ネットワークを介して、前記決済情報を前記第１群払込票発行機関に供給して、消し込み処理を行わせる収納代行装置とを備えたことを特徴としている。
【００２４】
また、本発明は、払込票発行機関が発行した払込票を処理する払込票処理システムにおいて、収納代行会社が収納代行契約している第１群払込票発行機関、または金融機関が収納代行契約している第２群払込票発行機関のうち、所望の各払込票発行機関名とこれら各払込票発行機関名を示すバーコードとが対にされて印刷され、前記金融機関の店舗内に配置されるバーコード表と、前記金融機関の店舗内に配置され、来店した顧客から収納を依頼された払込票の表示内容に基づき、テンキー入力された数値データと前記バーコード表を使用して入力されたバーコード情報とを組み合わせて払込票発行機関情報、払込期限情報、払込金額情報を含む収納情報を生成する払込票受付装置と、前記収納代行会社に配置され、ネットワークを介して、前記払込票受付装置で生成された収納情報を取り込み、この収納情報で指定された払込票発行機関が前記金融機関が収納代行契約している第２群払込票発行機関であるとき、ネットワークを介して、前記金融機関の収納代行サーバに前記収納情報を供給し、また前記収納情報で指定された払込票発行機関が前記収納代行会社が収納代行契約している第１群払込票発行機関であるとき、前記収納情報に対応した決済情報を生成するとともに、ネットワークを介して、前記決済情報を前記第１群払込票発行機関に供給して、消し込み処理を行わせる収納代行装置とを備えたことを特徴としている。
【００２５】
ここで、本払込票処理システムにおいは、前記払込票受付装置は、プリント指示が入力されたとき、前記収納情報に対応する関連帳票情報、または集計帳票情報を使用して、関連帳票、または集計帳票をプリントアウトすることを特徴としている。
【００２６】
さらに、本払込票処理システムにおいは、前記収納代行装置は、前記ネットワークを介して供給される前記払込票受付装置からの収納情報と、流通店から供給される収納情報とを一括処理することを特徴としている。
【発明の効果】
【００２７】
本発明による払込票処理システムでは、払込票処理機関の営業店に払込票が持ち込まれて、払込を依頼されたとき、払込票に印刷されたバーコードを読み取って、決済処理を行わせることができ、これによって営業店側の手間を大幅に簡素化させて、金融機関の業務を大幅に省力化させることができ、さらに払込票処理機関側が収納代行契約していない払込票発行会社の払込票をも決済処理を行わせることができる。
【００２８】
また、本払込票処理システムでは、払込票処理機関の営業店に払込票が持ち込まれて、払込を依頼されたとき、払込票にバーコードが印刷されている場合のみならず、バーコードが印刷されていない場合でも、決済処理を行わせることができ、これによって営業店側の手間を大幅に簡素化させて、金融機関の業務を大幅に省力化させることができ、さらに払込票処理機関側が収納代行契約していない払込票発行会社の払込票をも決済処理を行わせることができる。
【００２９】
また、本払込票処理システムでは、払込票処理機関の営業店に払込票が持ち込まれて、払込を依頼されたとき、払込票処理機関が契約した払込票発行会社の払込票のみならず、収納代行会社が契約した払込票発行会社の払込票であっても、また払込票にバーコードが印刷されている場合のみならず、バーコードが印刷されていない場合でも、関連帳票を自動作成させて、決済処理を行わせることができ、これによって営業店側の手間を大幅に簡素化させて、金融機関の業務を大幅に省力化させることができるとともに、払込票処理機関側が収納代行契約していない払込票発行会社の払込票をも決済処理を行わせることができる。
【００３０】
さらに、本払込票処理システムでは、１台の収納代行装置によって、コンビニエンスストア店からの収納情報と、払込票処理機関の営業店からの収納情報とを一括処理させることにより、システム全体の構築コストを低く抑えさせながら、払込票処理機関の営業店に持ち込まれた払込票の決済処理を行わせることができ、これによって営業店側の手間を大幅に簡素化させて、金融機関の業務を大幅に省力化させることができるとともに、払込票処理機関側が収納代行契約していない払込票発行会社の払込票をも決済処理を行わせることができる。
【図面の簡単な説明】
【００３１】
【図１】本発明による払込票処理システムの第１の実施形態を示すブロック図である。
【図２】図１に示す払込票処理システムの払込票処理動作例を示す模式図である。
【図３】図１に示す払込票処理システムの払込票処理動作例を示す模式図である。
【図４】図１に示す払込票処理システムの払込票処理動作例を示す模式図である。
【図５】図１に示す払込票処理システムの払込票処理動作例を示す模式図である。
【図６】本発明による払込票処理システムのうち、請求項２、３、４に対応する一形態を示すブロック図である。
【図７】図６に示すバーコード表の詳細な構成例を示す平面図である。
【図８】従来から知られている払込票処理システムの一例を示すブロック図である。
【図９】従来から知られている払込票処理システムの一例を示すブロック図である。
【発明を実施するための形態】
【００３２】
１．本発明の第１の実施形態
図１は、本発明による払込票処理システムの第１の実施形態を示すブロック図である。
図１に示す払込票処理システム１ａは、コンビニエンスストア店２内に設けられ、顧客が購入した商品、顧客が持ち込んだ払込票３などの処理を行うレジスタ装置４と、払込票処理機関の営業店５などに配置され、顧客が持ち込んだ払込票６などの処理を行う払込票受付装置７と、収納代行会社９に配置され、ネットワーク（例えば、流通ネットワーク）８を介して、コンビニエンスストア店２から出力される収納情報、営業店５などから出力される収納情報を取り込む処理、この収納情報が払込票処理機関側の決済が必要かどうかを判定する処理、収納情報が払込票処理機関側の決済が必要なものであるとき、ネットワーク１０を介して、払込票処理機関の本店１１に収納情報を供給する処理、収納情報が収納代行会社側で処理可能なものであるとき、決済情報を作成するとともに、ネットワーク１３を介して、払込票発行企業（請求項１、２の第１群払込票発行機関）２３に決済情報を供給して、消し込み処理を行わせる処理などを行う収納代行装置１２とを備えており、コンビニエンスストア店２に来店した顧客の払込票３のみならず、払込票処理機関の営業店５などに来店した顧客の払込票６についても、払込票６に印刷されたバーコードを読み込んで、収納代行処理を行う。
【００３３】
レジスタ装置４は、コンビニエンスストア店２内に設けられ、顧客が購入した商品、顧客が持ち込んだ払込票３などのバーコードを読み取るバーコードリーダ１４と、コンビニエンスストア店２内に配置され、バーコードリーダ１４によって読み込まれた商品のバーコード情報、払込票３のバーコード情報を処理して、購入金額、払込金額などの合計額などを演算、表示するとともに、ＰＯＳ（Point of sale system）情報、収納情報などを生成して、ネットワーク８上に送出するレジスタ（金銭登録機）１５とを備えており、顧客が購入した商品のバーコード、顧客から渡された払込票３などのバーコードを読み取って、購入金額、払込金額などの合計額などを演算し、これを表示器に表示するとともに、商品の購入であれば、購入品目情報、購入金額情報などの販売情報を生成して、レジスタ１５→ネットワーク８→統括本部のＰＯＳ情報管理サーバなる経路で、ＰＯＳ情報管理サーバに販売情報を供給する。また払込依頼であれば、バーコード情報に含まれる払込票発行企業情報、支払期限情報、払込金額情報などに基づき、収納可能かどうか、印紙が必要かどうかを判定し、収納可能で、かつ顧客から払込合計金額に対応する紙幣、硬貨などを受け取り、収納済みボタンが押されたとき、収納情報を生成して、記憶するとともに、レジスタ１５→ネットワーク８→収納代行会社９の収納代行装置１２なる経路で、収納代行装置１２に収納情報を供給する。
【００３４】
また、払込票受付装置７は、払込票処理機関の営業店５などに配置され、顧客が持ち込んだ払込票６などのバーコードを読み取るバーコードリーダ１６と、払込票処理機関の営業店５などに配置され、バーコードリーダ１６から出力されるバーコード情報などを解析して、払込票発行企業情報、支払期限情報、払込金額情報などを生成するとともに、これら払込票発行企業情報、支払期限情報、払込金額情報などに基づき、収納可能かどうか、印紙が必要かどうかを判定し、収納可能で、かつ顧客から払込合計金額に対応する紙幣、硬貨などを受け取り、収納済みボタンが押されたとき、収納情報、関連情報などを生成し、記憶するとともに、収納情報をネットワーク８上に送出する収納端末１７と、払込票処理機関の営業店５などに配置され、収納端末１７から出力される関連情報、集計情報などを取り込み、関連帳票１９、集計票２０などをプリントアウトする帳票プリンタ１８とを備えており、顧客が持ち込んだ払込票６のバーコードを読み取り、バーコード情報を生成するとともに、このバーコード情報に含まれる払込票発行企業情報、支払期限情報、払込金額情報などに基づき、収納可能かどうか、印紙が必要かどうかを判定し、収納可能で、かつ収納済みであるとき、収納情報、関連帳票情報などを生成して記憶した後、収納端末１７→ネットワーク８→収納代行会社９の収納代行装置１２なる経路で、収納代行装置１２に収納情報を供給する。また、１日の営業終了時刻が経過し、当該営業店の従業員によって、関連帳票印字指示が入力されたとき、各払込票発行企業毎に記憶している収納情報、関連帳票情報、収納情報を集計した集計情報などを整理して、帳票プリンタ１８から関連帳票１９、集計票２０などプリントアウトさせる。
【００３５】
収納代行装置１２は、収納代行会社９に配置され、各ネットワーク８、１０、１３を介して、レジスタ装置４、払込票受付装置７、払込票処理機関の本店１１内にある収納代行サーバ２２、収納代行会社９が収納代行契約した各払込票発行企業２３のサーバなどと情報の交換を行う処理、ネットワーク８を介して、コンビニエンスストア店２から出力される収納情報、営業店５などから出力される収納情報を取り込む処理、この収納情報が払込票処理機関側の決済が必要かどうかを判定する処理、収納情報が払込票処理機関側の決済が必要なものであるとき、ネットワーク１０を介して、払込票処理機関の本店１１内にある収納代行サーバ２２に収納情報を供給する処理、収納情報が収納代行会社側で処理可能なものであるとき、決済情報を作成し、ネットワーク１３を介して、払込票発行企業２３に決済情報を供給して、消し込み処理を行わせる処理などを行うメインサーバ２１を備えており、各コンビニエンスストア店２から送信された収納情報、払込票処理機関の各営業店５から送信された収納情報などを処理して、払込票処理機関の本店１１に収納情報を供給したり、決済情報を生成し、払込票発行企業（例えば、ＮＴＴ、ＮＨＫ、各自治体、各通信販売会社など）２３のサーバに送信し、消し込み処理などを行わせたりする
次に、図２乃至５に示す各模式図を参照しながら、払込票処理システム１ａの払込票処理動作を説明する。
【００３６】
まず、図２に示すように、コンビニエンスストア店２に入店した顧客から払込票３が提示され、払込が依頼されたとき、店員によってバーコードリーダ１４、レジスタ１５が操作されて、払込票３のバーコードが読み取られ、バーコード情報が生成される。
【００３７】
そして、バーコード情報に含まれる払込票発行企業情報、支払期限情報、払込金額情報などに基づき、レジスタ１５によって、収納可能かどうか、印紙が必要かどうかが判定され、収納可能であれば、表示器上に合計払込金額が表示される。
【００３８】
この後、顧客が合計払込金額の支払いを完了し、店員によって、支払い完了ボタンが押されると、レジスタ１５のレシート発行機構から領収書がプリントアウトされて、顧客に渡されるとともに、レジスタ１５内の演算ユニットによって、収納情報が生成され、レジスタ１５→ネットワーク８→収納代行会社９の収納代行装置１２なる経路で、収納代行装置１２に収納情報が供給され、この収納情報が払込票処理機関側が契約した払込票発行企業（請求項１、２の第２群払込票発行機関）２５のものか、収納代行会社９側が契約した払込票発行企業２３のものか否かがチェックされる。
【００３９】
この場合、コンビニエンスストア店２から出力される収納情報は、収納代行会社９側が契約した払込票発行企業２３のものであることから、収納代行装置１２によって、収納情報から決済情報が生成され、これら収納情報、決済情報が記憶されるとともに、収納代行装置１２→ネットワーク１３→払込票発行企業２３のサーバなる経路で、払込票発行企業２３のサーバに決済情報が供給されて、消し込み処理が行われる。
【００４０】
また、図３に示す如く払込票処理機関の営業店５に入店した顧客によって、払込票６、振り込み依頼票などが提出されたとき、当該営業店の従業員によって、払込票６、振り込み依頼票、紙幣、硬貨などが受け取られるとともに、バーコードリーダ１６、収納端末１７が操作されて、払込票６のバーコードが読み取られ、バーコード情報が生成される。
【００４１】
この後、収納端末１７に表示された、払込票６のバーコード情報に含まれる払込票発行企業情報、支払期限情報、印紙フラグ（印紙が必要かどうかを示すフラグ）の有無、払込金額情報などに基づき、収納端末１７によって、収納可能かどうか、印紙が必要かどうかが判定され、収納可能であれば、収納端末１７の液晶表示器上に青色で、払込票発行企業情報、合計払込金額情報、関連情報が表示される。
【００４２】
この後、顧客が合計払込金額に対応する紙幣、硬貨の支払いを完了し、当該営業店５の従業員によって、液晶表示器上の支払い完了ボタンがタッチされると、収納端末１７のプリント機構から、収納内容などがプリントされたレシートがプリントアウトされて、領収書とともに、顧客に渡されるとともに、払込票発行企業情報、支払期限情報、合計払込金額情報などに対応する収納情報が生成されて記憶されるとともに、収納端末１７→ネットワーク８→収納代行装置１２なる経路で、収納代行装置１２に収納情報が供給され、この収納情報が払込票処理機関側が契約した払込票発行企業２５のものか、収納代行会社９側が契約した払込票発行企業２３のものか、どうかがチェックされる。
【００４３】
そして、この収納情報が収納代行会社９側が契約した払込票発行企業２３の収納情報であれば、収納代行装置１２によって、収納情報から決済情報が生成され、これら収納情報、決済情報が記憶されるとともに、収納代行装置１２→ネットワーク１３→払込票発行企業２３のサーバなる経路で、払込票発行企業２３のサーバに決済情報が供給されて、消し込み処理が行われる。
【００４４】
また、収納情報が払込票処理機関側が契約した払込票発行企業２５の収納情報であれば、図４に示すように、収納代行装置１２→ネットワーク１０→収納代行サーバ２２なる経路で、払込票処理機関の本店１１にある収納代行サーバ２２に収納情報が供給され、記憶される。
【００４５】
そして、営業店５の営業が終了し、営業店５の当該営業店の従業員によって、収納端末１７が操作されて、集計指示が入力されたとき、収納端末１７内に記憶されている収納情報などのうち、払込票処理機関側が契約した払込票発行企業２５の収納情報などが各払込票発行企業２５毎に集計された後、収納情報に対応する関連帳票情報、集計情報などが作成され、これらが記憶されるとともに、帳票プリンタ１８に供給される。
【００４６】
これにより、図５の模式図に示すように、帳票プリンタ１８から、払込票処理機関側が契約した払込票発行企業２５毎に、関連帳票１９、集計票２０などがプリントアウトされるとともに、当該営業店５の従業員によって、関連帳票１９、集計票２０などと、各払込票６とが組み合わされた後、払込票処理機関側が契約した各払込票発行企業２５の関連帳票１９、集計票２０、払込票６などが当日のメール便で、払込票処理機関の本店１１などに送付される。また、払込票処理機関側が契約していない払込票発行企業２５の関連帳票１９、集計票２０、払込票６などについては、営業店５内に保管され、月末などにまとめられて、収納代行会社９側に送られる。
【００４７】
そして、払込票処理機関の本店１１などの従業員によって、営業開始前に、各営業店５から送付された払込票発行企業２５単位の関連帳票１９、集計票２０、払込票６などが払込票発行企業２５単位で、さらに纏められる。
【００４８】
次いで、払込票処理機関の本店１１などの当該営業店の従業員によって、収納代行サーバ２２が操作されて、前日の収納情報が各払込票発行企業２５単位で、表示させられるとともに、表示内容と、メール便で送られてきた各払込票６、関連帳票１９、集計票２０などが合っているかどうかが確認される。
【００４９】
この後、払込票処理機関の本店１１などの従業員によって、収納代行サーバ２２が操作されて、集計処理済みの払込票発行企業名が選択される毎に、収納代行サーバ２２によって、記憶している収納情報が参照され、各払込票６、関連帳票１９、集計票２０などに対する決済情報が生成され、記憶される。
【００５０】
そして、各払込票発行企業２５から指示された時刻になる毎に、収納代行サーバ２２に記憶されている各払込票発行企業２５の決済情報が収納代行サーバ２２→ネットワーク２４→払込票発行企業２５のサーバ（例えば、ＮＴＴ、ＮＨＫ、各自治体などのサーバ）なる経路で、払込票発行企業２５のサーバに決済情報が供給されて、消し込み処理が行われる。
【００５１】
このように、この第１の実施形態では、払込票処理機関の営業店５に払込票６が持ち込まれて、払込を依頼されたとき、払込票受付装置７によって、払込票６に印刷されたバーコードを読み取って、収納情報を生成させ、払込票受付装置７→ネットワーク８→収納代行装置１２なる経路で、収納代行装置１２に収納情報を供給させて、この収納情報が払込票処理機関側が収納代行契約している払込票発行企業２５のものか、収納代行会社９が収納代行契約している払込票発行企業２３のものかを判定させ、払込票処理機関側が収納代行契約している払込票発行企業２５の収納情報であれば、これを払込票処理機関の本店１１にある収納代行サーバ２２に転送させ、また収納代行会社９が収納代行契約している払込票発行企業２３の収納情報であれば、収納代行会社９のメインサーバ２１に決済情報を生成させて、払込票発行企業２３のサーバに供給させ、消し込み処理を行わせるようにしているので、営業店５内にいる従業員の手間を大幅に低減させることができるとともに、払込票処理機関側が収納代行契約していない払込票発行会社２３の払込票６をも決済処理させることができる。
【００５２】
これにより、収納代行会社９に北海道の水道局、沖縄の水道局などと収納代行契約させているだけで、各払込票処理機関、例えば東京にある払込票処理機関が地方の自治体、例えば北海道の水道局などと収納代行契約していない場合でも、東京にある払込票処理機関の営業店５に、地方の各自治体、例えば北海道の水道局が発行した払込票６を持ち込んでも、この営業店５で払込票６の処理を行うことができる。
【００５３】
この結果、各払込票処理機関側に、複雑な収納代行契約など、余分な手間をかけさせることなく、払込票処理機関を利用する顧客の利便性を飛躍的に向上させることができる。
【００５４】
また、この第１の実施形態では、払込票処理機関の営業店５に払込票６が持ち込まれて、払込を依頼されたとき、収納端末１７に接続されたバーコードリーダ１６によって、払込票６に印刷されたバーコードを読み取って、収納情報を生成させるとともに、これを記憶させ、集計指示が入力されたとき、収納端末１７内に記憶されている収納情報などのうち、払込票処理機関側が契約した払込票発行企業２５の収納情報などを各払込票発行企業２５毎に集計させた後、収納情報に対応する関連帳票情報、集計情報などを作成させて、帳票プリンタ１８から、関連帳票１９、集計票２０などをプリントアウトさせるようにしているので、営業店５内にいる当該営業店の従業員の手作業処理を少なくさせることができるとともに、手作業処理時に発生していた、払込票６、関連帳票１９、集計票２０の組合わせミスを大幅に低減させることができる（請求項３の効果）。
【００５５】
また、この第１形態では、流通ネットワークなどのネットワーク８を介して、営業店５内の払込票受付装置７から出力される収納情報と、コンビニエンスストア店２内のレジスタ装置４から出力される収納情報とを収納代行会社６内の収納代行装置１２に供給し、一括処理させるようにしているので、システム全体の構築コストを低く抑えさせながら、コンビニエンスストア店２に持ち込まれた払込票３、払込票処理機関の営業店５に持ち込まれた払込票６の決済処理を行わせることができる（請求項４の効果）。
【００５６】
２．本発明の第２の実施形態
図６は、本発明による払込票処理システムの第２の実施形態を示すブロック図である。なお、この図において、図１の各部と対応する部分には、同じ符号が付してある。
図５に示す払込票処理システム１ｂが図１に示す払込票処理システム１ａと異なる点は、コンビニエンスストア店２内にバーコード表３１と、テンキー装置３２とを配置するとともに、払込票処理機関の営業店５内にバーコード表３３と、テンキー装置３４とを配置し、さらにテンキー処理機能を持たないレジスタ１５と、テンキー処理機能を持たない収納端末１７とに代えて、テンキー処理機能を持つレジスタ３５と、テンキー処理機能を持つ収納端末３６とを配置し、バーコードが印字されていない払込票３７、３８についても、処理し得るようにしたことである。
【００５７】
バーコード表３１、３３は各々、図７に示すように、厚手の紙、あるいはプリンタ用紙、プラスチック板などによって構成される一枚（または、複数枚）の印刷基板３９と、印字基板３９上に各払込票発行企業名が各々、印刷される複数の払込票発行企業名エリア４０と、印字基板３９上の各払込票発行企業名エリア４０と対応するように配置され、対応する払込票発行企業名のバーコードが印刷される複数のバーコードエリア４１とを備えており、顧客が持ち込んだ払込票３７、３８にバーコードが印刷されていないとき、コンビニエンスストア店２内の店員、または営業店５内の当該営業店の従業員によって、払込票３７、３８の払込票発行企業名に対応する払込票発行企業名エリア４０が選択される。そして、この払込票発行企業名エリア４０に対応するバーコードエリア４１のバーコードに、バーコードリーダ１４、１６が当てられたとき、バーコードリーダ１４、１６を介して、レジスタ３５（または、収納端末３６）にバーコード情報を提供する。
【００５８】
また、テンキー装置３２、３４は各々、プラスチック素材などによって構成される、薄箱状のテンキー筐体と、テンキー筐体の上面に形成された開口部内に配置される複数の数字キー、複数のファンクションキーと、テンキー筐体内に配置され、各数字キー、各ファンクションキーのいずれかが押下されたとき、押下されたキーに対応するキーデータを生成するキーエンコーダ基板と、テンキー筐体の一辺に形成された穴を介して、キーエンコーダ基板に接続され、レジスタ３５（または、収納端末３６）から出力される電源電圧をキーエンコーダ基板に供給しながら、キーエンコーダ基板から出力されるキーデータをレジスタ３５（または、収納端末３６）に供給するケーブルとを備えており、コンビニエンスストア店２内の店員（または、営業店５内の当該営業店の従業員）によって、顧客が持ち込んだ払込票３７、３８に印刷されている支払期限、払込金額などに対応する各数字キー、各ファンクションキーが押下されたとき、押下されたキーに対応するキーデータ（支払期限、払込金額などを示すシリアルデータ）を生成して、レジスタ３５（または、収納端末３６）に供給する。
【００５９】
レジスタ３５は、バーコード情報を処理して、通常のレジスタ機能を実現するレジスタ機能プログラムと、バーコードリーダ１４から供給されるバーコード情報を解析して、支払期限、払込金額などの情報が含まれているかどうかを判断する付加情報有無判断プログラムと、バーコードリーダ１４から供給されるバーコード情報に支払期限、払込金額などを示す情報が含まれていないとき、バーコードリーダ１４から供給されるバーコード情報（払込票発行企業名を示す情報）とテンキー装置３２から出力されるキーデータに含まれる情報（支払期限、払込金額などを示す情報）とを組み合わせて、顧客が持ち込んだ払込票３７のバーコード情報（払込票発行企業名を示す情報、支払期限、払込金額などを示す情報など）を作成するバーコード情報作成プログラムとを備えている。
【００６０】
そして、通常の商品販売モードが選択されているときには、バーコードリーダ１４から供給されるバーコード情報を解析して、商品の購入代金の集計処理を行う。また、収納モードが選択されているときには、バーコードリーダ１４から供給されるバーコード情報を解析して、このバーコード情報に支払期限、払込金額などの情報が含まれているかどうかをチェックし、このバーコード情報に支払期限、払込金額などの情報が含まれていれば、このバーコード情報を使用して、収納処理を行い、またバーコードリーダ１４から供給されるバーコード情報に、支払期限、払込金額などの情報が含まれていなければ、バーコードリーダ１４から供給されるバーコード情報（バーコード表３１を使用して得られた払込票発行企業名情報）と、テンキー装置３２から出力されるキーデータの情報（支払期限、払込金額などを示す情報）とを組み合わせてバーコード情報を作成し、このバーコード情報を使用して、収納処理を行う。
【００６１】
また、収納端末３６は、バーコード情報を処理して、通常の収納機能を実現する収納機能プログラムと、バーコードリーダ１６から供給されるバーコード情報を解析して、支払期限、払込金額などの情報が含まれているかどうかを判断する付加情報有無判断プログラムと、バーコードリーダ１６から供給されるバーコード情報に支払期限、払込金額などの情報が含まれていないとき、バーコードリーダ１６から供給されるバーコード情報（払込票発行企業名を示す情報）とテンキー装置３４から出力されるキーデータの情報（支払期限、払込金額などを示す情報）とを組み合わせて、顧客が持ち込んだ払込票３８のバーコード情報（払込票発行企業名を示す情報、支払期限、払込金額などを示す情報など）を作成するバーコード情報作成プログラムとを備えている。
【００６２】
そして、収納モードが選択されているとき、バーコードリーダ１６から供給されるバーコード情報を解析して、このバーコード情報に支払期限、払込金額などの情報が含まれているかどうかをチェックし、このバーコード情報に支払期限、払込金額などの情報が含まれていれば、このバーコード情報を使用して、収納処理を行い、またバーコードリーダ１６から供給されるバーコード情報に、支払期限、払込金額などの情報が含まれていなければ、バーコードリーダ１６から供給されるバーコード情報（バーコード表３３を使用して得られた払込票発行企業名を示す情報）とテンキー装置３４から出力されるキーデータの情報（支払期限、払込金額などを示す情報）とを組み合わせてバーコード情報を作成し、このバーコード情報を使用して、収納処理を行う。
【００６３】
このように、この第２の実施の形態においては、バーコード表３１、３３、テンキー装置３２、３４を使用して、払込票３７、３８の印刷内容に対応する情報を入力して、バーコード情報を作成させ、このバーコード情報を使用させて、収納情報を作成させるようにしているので、払込票３７、３８にバーコードが印刷されて以内場合でも、バーコードが印刷されているときとほぼ同様な手順で、払込票３７、３８を処理させることができ、これによって営業店５内にいる当該営業店の従業員の手間を大幅に低減させることができるとともに、払込票処理機関側が収納代行契約していない払込票発行会社２３の払込票３８をも決済処理させることができる。
【００６４】
また、この第２形態においても、払込票処理機関の営業店５に払込票３８が持ち込まれて、払込を依頼されたとき、収納端末３６によって、払込票３８に印刷されたバーコードを読み取って、収納情報を生成させ、集計指示が入力されたとき、収納端末３８内に記憶されている収納情報などのうち、払込票処理機関側が契約した払込票発行企業２５の収納情報などを各払込票発行企業２５毎に集計させた後、収納情報に対応する関連帳票情報、集計情報などを作成させて、帳票プリンタ１８から、関連帳票１９、集計票２０などをプリントアウトさせるようにしているので、上述した第１形態と同様に、営業店５内にいる当該営業店の従業員の手作業処理を少なくさせることができるとともに、手作業処理時に発生していた、払込票３８、関連帳票１９、集計票２０の組合わせミスを大幅に低減させることができる。
【００６５】
また、この第２の実施形態においても、流通ネットワークなどのネットワーク８を介して、営業店５内の払込票受付装置７から出力される収納情報と、コンビニエンスストア店２内のレジスタ装置４から出力される収納情報とを収納代行会社６内の収納代行装置１２に供給し、一括処理させるようにしているので、上述した第１形態と同様に、システム全体の構築コストを低く抑えさせながら、コンビニエンスストア店２に持ち込まれた払込票３７、払込票処理機関の営業店５に持ち込まれた払込票３８の決済処理を行わせることができる。
【産業上の利用可能性】
【００６６】
本発明は、例えば信用金庫等の金融機関において処理される払込票処理システムに関し、特に払込票を受領して処理する信用金庫などの払込票処理機関が契約していない会社、自治体などの払込票をも処理し得るようにした払込票処理システムに関し、産業上の利用可能性を有する。
【符号の説明】
【００６７】
１ａ、１ｂ：払込票処理システム
２：コンビニエンスストア店
３：払込票
４：レジスタ装置
５：営業店
６：払込票
７：払込票受付装置
８：ネットワーク
９：収納代行会社
１０：ネットワーク
１１：本店
１２：収納代行装置
１３：ネットワーク
１４：バーコードリーダ
１５：レジスタ
１６：バーコードリーダ
１７：収納端末
１８：帳票プリンタ
１９：関連帳票
２０：集計票
２１：メインサーバ
２２：収納代行サーバ
２３：払込票発行企業（第１群払込票発行機関）
２４：ネットワーク
２５：払込票発行企業（第２群払込票発行機関）
３１：バーコード表
３２：テンキー装置
３３：バーコード表
３４：テンキー装置
３５：レジスタ
３６：収納端末
３７：払込票
３８：払込票
３９：印刷基板
４０：払込票発行企業名エリア
４１：バーコードエリア
【図１】
2011028431.tif 000003
【図２】
2011028431.tif 000004
【図３】
2011028431.tif 000005
【図４】
2011028431.tif 000006
【図５】
2011028431.tif 000007
【図６】
2011028431.tif 000008
【図７】
2011028431.tif 000009
【図８】
2011028431.tif 000010
【図９】
2011028431.tif 000011